(57)【要約】【課題】バック部を有する衣類のバック部の装飾性を高めて外観を美しく体裁の良い、かつデザイン性や装飾性にも優れ、従来にない美麗なバック部を表現でき視覚的効果を有する係止具付き装飾体及びその製造方法を提供する。【解決手段】着用者の脇下部から背中部にかけて密着するバック布の一端部に装着される係止具付き装飾体である。表生地６に刻設した切り目８から係止具２，３の頭部２ａ，３ａを露出する。外観を所望形状の装飾体１に形成する。【選択図】図３
2010094139.tif 000002
【特許請求の範囲】
【請求項１】
着用者の脇下部から背中部にかけて密着するバック布の一端部に装着される係止具付き装飾体であって、表生地に刻設した切り目から係止具の頭部を露出すると共に、外観を所望形状の装飾体に形成したことを特徴とする係止具付き装飾体。
【請求項２】
前記係止具は、環状部を有するアイ金具および鉤部を有するフック金具であることを特徴とする請求項１に記載の係止具付き装飾体。
【請求項３】
前記装飾体は、係止具が縫着された芯生地と表生地と裏生地が一体的に接合されていることを特徴とする請求項１または２に記載の係止具付き装飾体。
【請求項４】
前記装飾体は、一側端を接合されず上下分離片に形成され、バック布を挟み込むようになっていることを特徴とする請求項１乃至３のいずれか１項に記載の係止具付き装飾体。
【請求項５】
前記装飾体は、背中を大きく開けた衣類を着用した時に着用者の背面中央部で露出するようになっていることを特徴とする請求項１乃至４のいずれか１項に記載の係止具付き装飾体。
【請求項６】
環状部を有するアイ金具側を所望形状の装飾体にしたことを特徴とする請求項１乃至５のいずれか１項に記載の係止具付き装飾体。
【請求項７】
鉤部を有するフック金具側を所望形状の装飾体にしたことを特徴とする請求項１乃至５のいずれか１項に記載の係止具付き装飾体。
【請求項８】
環状部を有するアイ金具側と鉤部を有するフック金具側とで所望形状の装飾体にしたことを特徴とする請求項１乃至５のいずれか１項に記載の係止具付き装飾体。
【請求項９】
芯生地の所定間隔毎に係止具を複数列に縫着する工程と、芯生地の上下両面に少なくとも熱接着フィルムを配する工程と、その熱接着フィルムの上下両面に表生地と裏生地を重ね、表生地に刻設した切り目から係止具の頭部を通して露出する工程と、熱接着フィルムを加熱して芯生地と表生地と裏生地を一体に接合する工程と、接合体を所望形状の押し型で型抜きして装飾体にすることを特徴とする係止具付き装飾体の製造方法。
【発明の詳細な説明】
【技術分野】
【０００１】
本発明は、係止具(フック・アイ金具)を備えた装飾体及びその製造方法に関するものであり、さらに詳しくは、バック部を有する衣類に使用し、バック部を装飾して美観にする係止具付き装飾体及びその製造方法に関するものである。
【背景技術】
【０００２】
従来から、バック部を有する衣類の代表的なブラジャーは、左右バック布の一端部にフック・アイテープが縫着されてあり、そのフック・アイテープには、金属線を屈曲加工した鉤部を有するフック金具と環状部を有するアイ金具が所定間隔毎に縫着されてあり、鉤部を環状部に引っ掛け係止して着用するようになっている。
【０００３】
そのアイテープ２１は、通常、図２２に示すように、帯状テープ２２の幅方向に３段のアイ金具２３，２３，２３を取り付け、複数枚の抑え布２４，２４，２４で縫着し、２列または３列で切断（Ａ−Ａ線）した横長方形状のものである。
【０００４】
一方、フックテープ３１は、テープ基布３２の一側縁にフック金具３３，３３を取り付けてあり、アイテープ２１と同様に、２列または３列のところで切断（Ａ−Ａ線）した縦長方形状のものである。このフック・アイテープ３１，２１はミシン縫製により大量生産に適し、安価に供給できるメリットがあった。
【０００５】
しかし、上記のフック・アイテープ３１，２１は複数枚の抑え布２４，２４，２４を重合縫製して形成されたものであり、硬直感があって肌に食い込むと共に、縫糸が肌に接触して違和感を覚えたり、縫糸の表面に生じた凹面および凸面が肌に接触すると肌荒れを生じたり、痒みを生じることがあった。さらに、薄い生地のアウターウエアーを着用すると、外面からその肉厚部分の盛り上がりが見えて不体裁になると言った問題点があった。
【０００６】
そのような欠点を解消するものとして、フック・アイ金具を比較的薄いテープ生地に取り付け、その薄いテープ生地をバック布に縫着するのでなく、熱接着フィルムで接合するタイプのフック・アイテープが知られている。このフック・アイテープは、外面に縫着による縫糸が現れないので外観優美になり、生地厚さの硬直感も少なく、着心地も良いので好評を得ている（例えば、特許文献１）。
【特許文献１】登録実用新案第３１０４２６１号
【発明の開示】
【発明が解決しようとする課題】
【０００７】
しかしながら、上記のフック・アイテープは何の変哲もない方形状のものであり、ファッション性、デザイン性、装飾性、美感性に劣っていた。これは、ブラジャーなどの下着を着用した時に外部から見えることを想定していないためである。
【０００８】
ところが、近時ファッションの多様化により、背中を大きく開けた衣類を着用するのが増えてきており、また、夏季においては、ブラジャーなどが透けて見える生地のアウターウエアーを好んで着用されるようになってきていることから、着用したブラジャーのフック・アイテープが露出して見えたりすることがあり、もともと視覚的効果を考慮して作られていないので見栄えが悪く不体裁であるといった問題点があった。
【０００９】
本発明は、上記のような問題を解決することを課題として研究開発されたもので、バック部を有する衣類のバック部の装飾性を高めて外観を美しく体裁の良い、かつデザイン性や装飾性にも優れ、従来にない美麗なバック部を表現でき視覚的効果を有する係止具付き装飾体及びその製造方法を提供することを目的とするものである。
【課題を解決するための手段】
【００１０】
上記の課題を解決し、その目的を達成する手段として、本発明は、着用者の脇下部から背中部にかけて密着するバック布の一端部に装着される係止具付き装飾体であって、表生地に刻設した切り目から係止具の頭部を露出すると共に、外観を所望形状の装飾体に形成したことを特徴とする係止具付き装飾体を開発し、採用した。
【００１１】
また、上記の係止具付き装飾体において、前記係止具は、環状部を有するアイ金具および鉤部を有するフック金具であることを特徴とする係止具付き装飾体、および前記装飾体は、係止具が縫着された芯生地と表生地と裏生地が一体的に接合されていることを特徴とする係止具付き装飾体、および前記装飾体は、一側端が接合されず上下分離片に形成され、バック布を挟み込むようになっていることを特徴とする係止具付き装飾体、および前記装飾体は、背中を大きく開けた衣類を着用した時に着用者の背面中央部で露出するようになっていることを特徴とする係止具付き装飾体、および環状部を有するアイ金具側を所望形状の装飾体にしたことを特徴とする係止具付き装飾体、および鉤部を有するフック金具側を所望形状の装飾体にしたことを特徴とする係止具付き装飾体、および環状部を有するアイ金具側と鉤部を有するフック金具側とで所望形状の装飾体にしたことを特徴とする係止具付き装飾体を開発し、採用した。
【００１２】
また、本発明は、芯生地の所定間隔毎に係止具を複数列に縫着する工程と、芯生地の上下両面に少なくとも熱接着フィルムを配する工程と、その熱接着フィルムの上下両面に表生地と裏生地を重ね、表生地に刻設した切り目から係止具の頭部を通して露出する工程と、熱接着フィルムを加熱して芯生地と表生地と裏生地を一体に接合する工程と、接合体を所望形状の押し型で型抜きして装飾体にすることを特徴とする係止具付き装飾体の製造方法を開発し、採用した。
【発明の効果】
【００１３】
本発明は、バック部を有する衣類のバック布の一端部に、係止具付きの装飾体を取り付けることにより、着用した時にバック部の外観を美しく表現でき、特に背中を大きく開いた衣服を着用した時には背中の中央部に装飾体があることから、ワンポインのデザインとしてファッション性に優れ、従来にない美麗なバック部を表現できる。また、透けて見える薄い生地のアウターウエアーを着用した時においても、装飾体が見えることになるので、視覚的効果を有することになる。
【００１４】
さらに、装飾体の一側端を接合されず上下分離片のものを用いれば、その上下分離片の間にバック布を挟むことができて取り付けが容易になる。また、アイ金具を備えた装飾体またはフック金具を備えた装飾体だけで、ファッション性やデザイン性に富んだ所望形状の装飾体を構成することができると共に、アイ金具を備えた装飾体とフック金具を備えた装飾体とを組合すことで１つの装飾体を構成することもできるので、簡単な絵柄や記号だけでなく、動物、植物、キャラクター図形などの装飾性に富んだ装飾体にもなる。
【００１５】
また、従来のフック・アイテープは、複数枚のテープを縫着したものであるから、硬直感があって線状に圧力が加わり、肌に食い込みやすかったが、本発明の装飾体は、縫着されていないので、硬直感がなく面状に圧着力が加わり、局所的な食い込みがなくなる。さらに、縫い目が全くないことから肌への悪影響がない。
【００１６】
また、本発明の係止具付き装飾体の製造方法によれば、所望形状の押し型による型抜きであるから、押し型を変えることにより、所望形状の係止具付き装飾体を容易に得ることができる。さらに、係止具を縫着した芯生地と表生地、裏生地を確実に一体化した接合体が得られると共に、その接合体から型抜きされた装飾体は、表生地と裏生地が接着フィルムを介して芯生地と接合してあるから、周縁がホツレたりカールなど生じることがない装飾体を得ることができる。
【発明を実施するための最良の形態】
【００１７】
以下に、本発明の第１実施形態を添付図面の図１〜図４に基づいて説明すれば、アイ金具２が縫着された方を装飾体１とし、フック金具３が縫着された方を通常のフックテープ１２としたものである。すなわち、外観を花びら形状に形成された装飾体１は、アイ金具２を縫着する内面の芯生地４と、その芯生地４の上下両面に設ける熱接着フィルム５，５と、熱接着フィルム５，５の両面に配する表生地６と裏生地７とで構成されている。
【００１８】
前記装飾体１の形状は、図１に示すような花びらの他に、リボン形、星形、ハート形、スペード形などの各種記号あるいは動物、植物の他、キャラクター図形など所望の外観形状のものでも良い。
【００１９】
前記の芯生地４は、比較的丈夫な編生地または織生地からなり、小さな横長方形状に切断され、その長さ方向に一定間隔毎に上下二列でアイ金具２，２，２を前部、中部、後部と３段に縫着して取り付けられている。
【００２０】
前記熱接着フィルム５，５は、芯生地４より大きい表生地６および裏生地７と同形同大の熱可塑性のウレタンエラストマーフィルムを用いるのが好適であり、上下両面に配されるが、他の熱接着性プラスチックフィルムでも良いのは勿論のことであり、芯生地４と表生地６と裏生地７を一体的に接合される。
【００２１】
表生地６には、アイ金具２，２，２の環状部２ａ，２ａ，２ａの位置する箇所に縦切り目８，８，８を二列に刻設してあり、その縦切り目８，８，８からアイ金具２の環状部２ａを通して露出している。
【００２２】
以上のように構成した本発明の第１実施形態の使用状態を説明すると、図３，４に示すように、一方のバック布９の端部にアイ金具２を備えた花ビラ形状の装飾体１を熱接着や縫着で取り付けると共に、他方のバック布１０の端部にはフック金具３を備えたフックテープ１１を取り付け、フック金具３をアイ金具２に係止することにより着用でき、その時、バック部を有する衣類のバック部中央部が装飾体１によって装飾され美麗なバック部を作り出すことができる。
【００２３】
図５〜８に示すものは、本発明の第２実施の形態を示すもので、前記第１実施の形態では、アイ金具２を取り付けた方を装飾体１とし、フック金具３を取り付けた方をフックテープ１１としたものであったが、この第２実施の形態では、フック金具３を取り付けた方を装飾体１とし、アイ金具２を取り付けた方をアイテープ１２としたものである。
【００２４】
すなわち、花びら形状に形成された装飾体１は、内面にある小さな縦長の芯生地４と、その芯生地４の上下両面に配する熱接着性フィルム５，５と、表生地６と裏生地７を一体的に接合されたものであり、表生地６に縦切目８，８を刻設し、その縦切目８，８からフック金具３，３，３の鉤部３ａ，３ａを露出している。
【００２５】
このように構成した本発明の第２実施形態の使用状態を説明すると、図７，８に示すように、一方のバック布９の端部にアイ金具２を備えたアイテープ１２を取り付け、他方のバック布１０の端部にフック金具３を備えた花ビラ形状の装飾体１を熱接着や縫着で取り付け、フック金具３をアイ金具２に係止することにより着用でき、その時、装飾体１によってアイテープ１２が隠れることになり体裁がよくなると共に、バック部中央部はフック金具３を備えた装飾体１によって装飾され美麗なバック部を作り出すことができる。
【００２６】
図９〜１２に示すものは、本発明の第３実施の形態を示すもので、前記第１、２実施の形態では、アイ金具２またはフック金具３を備えた一方を装飾体１とし、他方をフックテープ１１またはアイテープ１２としたが、この第３実施の形態では、アイ金具２およびフック金具３を備えた両方を装飾体１，１としたものである。
【００２７】
この第３の実施の形態においては、犬の１種であるダックスフントを表した装飾体からなっており、一方のバック布９の端部にアイ金具２を縫着した胴体装飾体１ａとし、他方のバック布１０の端部にフック金具３を縫着した頭部装飾体１ｂとしたものであり、胴体装飾体１ａおよび頭部装飾体１ｂにそれぞれ取り付けられるアイ金具２およびフック金具３は前記を第１、第２実施の形態と何ら変わることがないので、説明は省略する。
【００２８】
このように構成した本発明の第３実施形態の使用状態を説明すると、図１１，図１２   に示すように、一方のバック布９の端部にアイ金具２を備えたダックスフントの胴体部１ａが取り付けられ、他方のバック布１０にフック金具３を備えたダックスフントの頭部１ｂが取り付けられてあり、フック金具３をアイ金具２に係止することにより着用でき、バック部中央部においてダックスフントの形態が現れることになり、興趣に富んだ面白味のあるバック部を有する衣類になる。
【００２９】
図１３、図１４に示すものは、本発明の第４実施の形態を示すもので、前記第１、第２実施の形態の変形例であり、アイ金具２およびフック金具３を縫着する内面の芯生地４と、その芯生地４の上下両面に配する熱接着フィルム５，５と、その熱接着フィルム５，５の両面に重ねる表生地６と裏生地７とで構成されていると共に、表生地６に縦切目８，８を刻設し、その縦切目８，８からアイ金具２の環状部２ａおよびフック金具３の鉤部３ａを露出しているのは、前記第１、第２実施の形態と同じであり、同一部材に同一符号を付してあり、相違するのは接着フィルム５，５を小さくして芯生地４と同じ大きさで接合されたものであり、装飾体１の一側端に上下分離片１３，１４を形成した点だけが異なっている。
【００３０】
このように構成した本発明の第４実施の形態の使用状態を説明すると、アイ金具２およびフック金具３を備えた装飾体１の一側端部に設けた上下分離片１３，１４の間に一方のバック布９および他方のバック布１０の端部を挟み込み縫着で取り付けると共に、他方のバック布１０の端部にはフック金具３を備えたフックテープ１２および一方のバック布９の端部にはアイ金具を取り付け、フック金具３をアイ金具２に係止することにより着用でき、その時、バック部を有する衣類のバック部中央部が装飾体１によって装飾され美麗なバック部を作り出すことができる。
【００３１】
つぎに、本発明に係る係止具付き装飾体の製造方法の好適な実施の形態を、図１６〜図２１のアイ金具付き装飾体の例に基づき、製造工程順にしたがって説明する。
まず、図１６に示すように、ナイロン糸やポリエステル糸などで編まれた或いは織られた伸びの少ない横長の小さい方形状の芯生地４に、所定の間隔毎に環状部２ａを有するアイ金具２を二列で前部、中部、後部と三段にしてミシン糸で縫着する第１工程。
【００３２】
続いて、図１７に示すように、アイ金具２が縫着された芯生地４の上下両面に、芯生地  ４より大きな方形状のウレタンエラストマーフィルム５，５を配する第２工程。
【００３３】
続いて、図１８に示すように、上下ウレタンエラストマーフィルム５，５の両面に、該ウレタンエラストマーフィルム５，５と同形・同大の表生地６と裏生地７を重ね、表生地６に刻設した縦切り目８からアイ金具２の環状部２ａを通して露出する第３工程。
【００３４】
続いて、図１９に示すようにウレタンエラストマーフィルム５，５を加熱して芯生地４と表生地６と裏生地７を一体に接合して接合体１５を形成する第４工程。
【００３５】
続いて図２０に示すように、一体化された接合体１５の上面に花ビラ形状の押し型１６を押圧することにより、図２１に示すように、接合体１５の外周縁が花びらとなる装飾性を有するアイ金具付き装飾体１が得られる第５工程からなる。
【００３６】
上記の方法により製造されたアイ金具付き装飾体１を、例えば、前記の図３，４に略示するように、一方のバック布９の端部に接着または縫着すると共に、他方のバック布１０の端部にフック金具３を有するフックテープ１１を取り付け、フック金具３をアイ金具２に係止することにより、着用時に背中の中央部に装飾体１が現れバック部を有する衣類のバック部を美しく装飾できる。特にセパレート水着のトップに用いれば、外面に出ているので装飾性に富む衣類になる。
【００３７】
以上、本発明の好適な実施の形態について説明したが、本発明はこれらの実施の形態に限定されるものではなく、例えば、装飾体の形状は前記以外の形状でもよく、また、芯生地の下面に不織布などの当て布を配して熱接着フィルムを介して裏生地と接合することもある。要するに、本発明の目的を達成でき、かつ発明の要旨を逸脱しない範囲内において種々の設計変更が可能であることは当然のことである。
【産業上の利用可能性】
【００３８】
本発明は、ブラジャー、ブラスリップ、ボディスーツ、レオタードなどのインナーウエアーに限らず、セパレート水着のトップやアウターウエアーなどのバック布を有する衣類に利用することにより装飾性に優れた衣類として利用できる。
【図面の簡単な説明】
【００３９】
【図１】本発明の第１実施形態のアイ金具付き装飾体の正面図である。
【図２】図１の分解図である。
【図３】第１実施形態のフック・アイ金具を係止する前の正面図である。
【図４】第１実施形態のフック・アイ金具を係止した状態の正面図である。
【図５】本発明の第２実施形態のフック金具付き装飾体の背面図である。
【図６】図６の分解図である。
【図７】第２実施形態のフック・アイ金具を係止する前の正面図である。
【図８】第２実施形態のフック・アイ金具を係止した状態の正面図である。
【図９】本発明の第３実施形態のアイ金具付き装飾体とフック金具付き装飾体の正面図である。
【図１０】図９の分解図である。
【図１１】第３実施形態のフック・アイ金具を係止する前の正面図である。
【図１２】第３実施形態のフック・アイ金具を係止した状態の正面図である。
【図１３】本発明の第４実施形態のアイ金具付き装飾体の断面図である。
【図１４】第４実施形態のフック金具付き装飾体の断面図である。
【図１５】使用状態を示す背面図である。
【図１６】本発明の製造工程を示すもので、芯生地にアイ金具を縫着した状態の斜視図である。
【図１７】芯生地の上下両面に接着性フィルムを配した状態の斜視図である。
【図１８】熱接着性フィルムの上下両面に表生地と裏生地を重ねた状態の斜視図である。
【図１９】接合一体化された接合体の斜視図である。
【図２０】押し型で型抜きする状態の斜視図である。
【図２１】本発明の製造工程で得られたアイ金具付き装飾体の斜視図である。
【図２２】従来のフック・アイテープを示す平面図である。
【符号の説明】
【００４０】
１    装飾体    
２    アイ金具  
３    フック金具  
４    芯生地
５    熱接着フィルム  
６    表生地
７    裏生地
８    切り目
１３  上分離片
１４  下分離片
１５  接合体
１６  押し型
【図１】
2010094139.tif 000003
【図２】
2010094139.tif 000004
【図３】
2010094139.tif 000005
【図４】
2010094139.tif 000006
【図５】
2010094139.tif 000007
【図６】
2010094139.tif 000008
【図７】
2010094139.tif 000009
【図８】
2010094139.tif 000010
【図９】
2010094139.tif 000011
【図１０】
2010094139.tif 000012
【図１１】
2010094139.tif 000013
【図１２】
2010094139.tif 000014
【図１３】
2010094139.tif 000015
【図１４】
2010094139.tif 000016
【図１５】
2010094139.tif 000017
【図１６】
2010094139.tif 000018
【図１７】
2010094139.tif 000019
【図１８】
2010094139.tif 000020
【図１９】
2010094139.tif 000021
【図２０】
2010094139.tif 000022
【図２１】
2010094139.tif 000023
【図２２】
2010094139.tif 000024